(57)【要約】【課題】  コピー時にカラーモードが指定された場合、カラー専用の用紙を自動的に選択給紙し得る画像処理装置を提供する。【解決手段】  コピーモードで（ステップＳＴ１１）、カラーモードを選択し、スタートキー８ａを操作すると（ステップＳＴ１３）、読み取った原稿サイズとプリンタの解像度を基に、記録用紙（サイズ）を自動的に選択する（ステップＳＴ１４）。次に、カラーモードの設定有りか否か判定する（ステップＳＴ１５）が、すでにカラーモード設定下の場合に、自動選択したサイズを基に、カセットメモリ５ａを参照して、選択サイズで、かつカラー専用の用紙を収容するカセットを選択する。この選択したカセットより用紙を給紙し、カラーコピーを実行する（ステップＳＴ１６）。【選択図】      図３
2005104053.tif 000002
【特許請求の範囲】
【請求項１】
複数種の用紙を適宜個別に収納する複数の用紙収納部と、
各用紙収納部に対応して、各々毎にカラー記録で使用できる用紙が装着されているかの識別を登録する記憶手段と、
記録時にカラー記録が指定された場合に、前記記憶手段の登録内容を参照して、カラー記録可と登録された用紙収納部から用紙を選択給紙する給紙制御手段と、
を備えたことを特徴とする画像処理装置。
【請求項２】
少なくとも、読み取った原稿サイズに基づいて、記録用紙を選択する自動用紙選択手段を備え、前記給紙制御手段は、自動用紙選択手段により選択した用紙サイズを基に、前記記憶手段の登録内容を参照して給紙すべきカセットを選択するものであることを特徴とする請求項１記載の画像処理装置。
【発明の詳細な説明】
【技術分野】
【０００１】
この発明は、モノクロの他にカラー記録機能も有する複写機、ファクシミリ装置、複写機能・ファクシミリ機能等の多機能を有する複合機、プリンタ装置などの画像処理装置に関する。
【背景技術】
【０００２】
カラー複写機等のカラー画像処理装置には、白黒（モノクロ）複写用の用紙を収納する白黒複写用紙カセットと、カラー複写用の用紙を収納するカラー複写用紙カセットと、これら白黒複写用紙カセット又はカラー複写用紙カセットから用紙を送り出す給紙装置と、原稿色対応モードが白黒モードに設定されたときには、白黒複写用紙カセットから給紙し、原稿色対応モードがカラーモードに設定されたときにはカラー複写用紙カセットから給紙が行われるように、給紙手段を制御するようにしたものが開示されている（例えば、特許文献１参照）。
【特許文献１】特許第２６３６９６２号公報
【発明の開示】
【発明が解決しようとする課題】
【０００３】
上記した従来のカラー画像処理装置では、白黒で記録する場合には、白黒モードに設定しておき、カラーで記録する場合には、カラーモードに設定しておき、用紙を指定する操作を行うと、白黒／カラーモードの設定に応じ、対応する白黒用かカラー用の指定サイズの用紙を給紙するものであり、記録時には白黒／カラーのモードと用紙サイズとを入力する必要があった。例えば、コピー時にカラーでコピーする場合には、カラーコピーを指定するとともに、所望のサイズでカラー用のカセットを指定する操作が必要である。このような場合、可能なら所望のサイズでカラー専用の用紙が自動選択できれば、便利である。
【０００４】
この発明は上記問題点に着目してなされたものであって、例えばコピー時にカラーモードが指定された場合、カラー専用の用紙を自動的に選択給紙し得る画像処理装置を提供することを目的としている。
【課題を解決するための手段】
【０００５】
この発明の画像処理装置は、複数種の用紙を適宜個別に収納する複数の用紙収納部と、各用紙収納部に対応して、各々毎にカラー記録で使用できる用紙が装着されているかの識別を登録する記憶手段と、記録（コピー）時にカラー記録が指定された場合に、前記記憶手段の登録内容を参照して、カラー記録可と登録された用紙収納部から用紙を選択給紙する給紙制御手段とを備えている。
【０００６】
また、この発明の画像処理装置は、少なくとも、読み取った原稿サイズに基づいて、記録用紙を選択する自動用紙選択手段を備え、前記給紙制御手段は、自動用紙選択手段により選択した用紙サイズを基に、前記記憶手段の登録内容を参照して給紙すべきカセットを選択する。
【発明の効果】
【０００７】
この発明によれば、各用紙収納部に対応して、各々毎にカラー記録使用できる用紙が装着されているかの識別を登録しておき、記録時にカラー記録が指定される場合に、登録内容を参照して、カラー記録可と登録された用紙収納部からの用紙を選択給紙するので、用紙収納部の指定動作を行うことなく、カラー記録専用の用紙を選択できる。
【発明を実施するための最良の形態】
【０００８】
以下、実施の形態により、この発明をさらに詳細に説明する。図１は、この発明の実施形態であるカラー画像通信装置全体の概略構成を示すブロック図である。
【０００９】
この実施形態カラー画像通信装置は、ファクシミリ機能とコピー機能とを備えた、しかも画像としてモノクロの他、カラーも扱えるカラー複合機として構成したものである。このカラー複合機は、主制御部（ＣＰＵ）１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化：復号器：Ｃｏｄｅｒ  ａｎｄ  Ｄｅｃｏｄｅｒ）１１と、ＬＡＮＩ／Ｆ１２と、バス１３とを備えている。
【００１０】
主制御部（ＣＰＵ）１は、この装置を構成する各部を制御する。この制御には、モノクロ画像、又はカラー画像を相手機に送信し、あるいは相手機から受信する場合の制御が含まれる。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１１】
ＲＯＭ４は、この装置を制御するためのプログラムを記憶する。ＲＡＭ５は、データ等を一時的に記憶する。ＲＡＭ５はカセットメモリ５ａを有する。このカセットメモリ５ａについては後に詳述する。画像メモリ６は、モノクロあるいはカラーの受信画像データや画像読取部９で読み取ったモノクロあるいはカラーの読み取り画像データを一時的に記憶する。
【００１２】
表示部（ＬＣＤ）７は、アイコン、キーボタンの表示や、データの送受信に必要なメッセージ内容等を表示する。操作部８は、スタートキー８ａ、モード切替キー８ｂ、カセット選択キー８ｃの他、テンキー、登録キー、その他のキーを有する。スタートキー８ａは、コピー等、種々の処理を開始させるのに操作するキーである。モード選択キー８ｂは、ＦＡＸモード・コピーモード・スキャナモード等の複写の動作モードの切り替えを行うキーである。カセット選択キー８ｃは、後述する画像記録部１０の用紙カセット１〜５のうち、どのカセットの用紙を選択指定するかのキーである。
【００１３】
画像読取部９は、ＦＡＸ送信するときに、あるいはコピーするときに、原稿を光学的に走査して画像データを読み取る。この画像読取部９は、モノクロ画像とカラー画像とを読み取ることが可能である。画像記録部１０は、電子写真式のプリンタよりなり、受信画像データやコピー動作において、画像読取部９で読み取った原稿の画像データを記録紙上に記録する。この画像記録部１０は、カラープリントも可能である。
【００１４】
この画像記録部１０には、複数種の用紙を収納可能な複数の用紙カセットを備えている。例えば、５用紙カセットを備えていると、図４に例示するように、カセット１にモノクロ用のＡ４サイズの用紙が、カセット２にはカラー用Ａ４サイズの用紙が、カセット３にはモノクロ用のＢ４サイズの用紙が、カセット４にはモノクロ用のＡ３サイズの用紙が、また、カセット５にはカラー用のＢ５サイズの用紙が、それぞれ収納されている。
【００１５】
ＲＡＭ５のカセットメモリ５ａには、図４に示すテーブルが格納されている。ここでは、それぞれカセット１〜５毎に、それぞれ収容されている用紙サイズと、各収容用紙がカラー専用であるか、モノクロ専用であるか、共用できるかの識別を登録記憶する。
【００１６】
ＣＯＤＥＣ１１は、読み取った画像データを送信又は記憶するためにＭＨ、ＭＲ、ＫＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣよりファイル等のデータ転送の要求を受けると、ＲＡＭ５に記憶する画像データをＬＡＮＩ／Ｆ１２、ＬＡＮ１５を介して外部ＰＣに転送する。
【００１７】
この実施形態カラー複合機においては、各用紙カセット毎に、収納する用紙サイズと、カラーコピー／プリントとモノクロコピー／プリントの専用、あるいは共用可を予め登録しておくことができる。読み取り原稿サイズとプリンタの解像度に基づいて、記録用紙（サイズ）を自動的に選択する機能（自動用紙選択手段）を備えている。そして、コピー時に、カラーコピー指定の場合、選択した用紙サイズを基に、登録内容を参照して、カラーコピー専用の用紙を収納するカセットを選択し、そのカセットに収容されている用紙を給紙して、カラーコピーに使用する。
【００１８】
次に、図２に示すフロー図を参照して、この実施形態カラー複合機のカセットメモリ５ａへの登録処理について説明する。この処理ルーチンに入ると、ステップＳＴ１においては、カセット登録か否か判定する。カセット登録を行うための登録キーが操作されていると、判定ＹＥＳで、ステップＳＴ２へ移行する。ステップＳＴ２においては、操作部８でカセットの選択を行う。カセット１からカセット５までの表示から、カセット選択キー８ｃの操作により、カセット１を選択する。次に、ステップＳＴ３へ移行する。
【００１９】
ステップＳＴ３においては、記録紙サイズの登録を行う。図４の例では、カセットメモリ５ａのカセット１記憶エリアに、Ａ４サイズが登録される。続いて、ステップＳＴ４へ移行する。ステップＳＴ４においては、カセットに収納する用紙がカラーコピー／プリントか、モノクロコピー／プリントかの可否が、カセットメモリ５ａに登録される。図４の例では、カセット１の場合、カラーに×（不可）、モノクロに○（可）が登録される。次に、ステップＳＴ５へ移行する。ステップＳＴ５においては、全てのカセットの登録が終了したか否かを判定する。全てのカセットが登録していない場合は、ステップＳＴ２へ戻る。カセット１の登録を終了した時点では、全カセットの登録が終了していないので、ステップＳＴ２へ戻ることになる。
【００２０】
ステップＳＴ２において、次のカセット、つまりカセット２をカセット選択キー８ｃの操作により選択する。そして、カセット２につきカセット１の場合と同様に、ステップＳＴ３で記録紙サイズを、ステップＳＴ４でカラーコピー／プリントと、モノクロコピー／プリントの識別を、それぞれ登録する。図４の例では、サイズとしてＡ４が、カラーコピー／プリントが○、モノクロコピー／プリントが×として登録される。以後、同様にカセット５に関する登録が終了するまで、ステップＳＴ５→ＳＴ２→ＳＴ４の処理を繰り返し、残りのカセット３〜５の登録処理を実行する。その結果、例えば図４に示す如き、内容がカセット１〜５について、カセットメモリ５ａに登録されたことになる。ちなみに、カセット３は、サイズとしてＢ４、カラーコピー／プリント○、モノクロコピー／プリント○、つまりカラーとモノクロの共用として登録されている。
【００２１】
次に、この実施形態カラー複合機のコピー時の記録処理を図３に示すフロー図を参照して説明する。この処理ルーチンに入ると、ステップＳＴ１１において、コピーか否か判定する。操作部８のモード切替キー８ｂにより、コピーモードが選択されていると、ステップＳＴ１２へ移行する。ステップＳＴ１２においては、オペレータ（ユーザ）がカラー／モノクロ（ＢＷ）のモード選択を行う。このモード選択は、操作部８のモード切替キー８ｂを操作することにより行う。次に、ステップＳＴ１３へ移行する。
【００２２】
ステップＳＴ１３においては、スタートキー８ａが操作されたか否か判定する。スタートキー８ａが操作されていると、ステップＳＴ１４へ移行する。ステップＳＴ１４においては、自動用紙選択か否かを判定する。操作部８で自動用紙選択が設定されていると、ステップＳＴ１５へ移行する。一方、自動用紙選択が設定されていない場合は、ステップＳＴ１８へ移行する。
【００２３】
ステップＳＴ１５においては、カラーモードか否か判定する。操作部８のモード切替キー８ｂでカラーモードに設定されている場合には、ステップＳＴ１６へ移行する。一方、カラーモードに設定されていない（モノクロモードに設定）場合には、ステップＳＴ１７へ移行する。
【００２４】
ステップＳＴ１６においては、読み取られた画像のサイズとプリンタの解像度に基づいて、記録用の自動用紙選択がなされているので、そのサイズを基にカセットメモリ５ａを参照して、カラー専用のカセットを抽出する。自動検出したサイズがＡ４であれば、図４の例では、カセット２を選択する。このカセット２の用紙を給紙して、カラーコピーを実行する。ステップＳＴ１７においては、ステップＳＴ１６と同様、自動用紙選択された用紙サイズを基にカセットメモリ５ａを参照して、モノクロ専用カセットを抽出する。自動検出したサイズがＡ４であれば、図４の例では、カセット１を選択する。そして、このカセット１の用紙を使用してモノクロコピーを実行する。ステップＳＴ１６において、あるいはステップＳＴ１７において、抽出サイズがＢ４であった場合は、図４の例では、カセット３がサイズＢ４でカラーとモノクロの共用として登録されているので、このカセット３を選択することになる。
【００２５】
ステップＳＴ１８においては、自動用紙選択でないので、オペレータが所望のカセットを、カセット選択キー８ｃで選択して、その選択したカセットの用紙を使用してコピー処理を実行する。
【００２６】
なお、上記実施形態において、画像読取部で読み取った原稿画像を、コピー／プリントする場合について説明したが、パーソナルコンピュータ（ＰＣ）、スキャナ装置等の外部機器から入力されたモノクロ画像データ、カラー画像データを、画像記録する場合にも本発明を適用することができる。
【図面の簡単な説明】
【００２７】
【図１】この発明が実施されるカラー複合機の概略構成を示すブロック図である。
【図２】同実施形態カラー複合機のカセットメモリへの登録処理を説明するためのフロー図である。
【図３】同実施形態カラー複合機のコピー時の記録処理を説明するためのフロー図である。
【図４】同実施形態カラー複合機のカセットメモリの登録例を説明する図である。
【符号の説明】
【００２８】
１      主制御部（ＣＰＵ）
２      ＮＣＵ
３      ＭＯＤＥＭ
４      ＲＯＭ
５      ＲＡＭ
５ａ    カセットメモリ
６      画像メモリ
７      表示部
８      操作部
８ａ    スタートキー
８ｂ    モード切替キー
８ｃ    カセット選択キー
９      画像読取部
１０    画像記録部
１１    ＣＯＤＥＣ
１２    ＬＡＮＩ／Ｆ
１３    バス
１４    公衆回線
１５    ＬＡＮ
【図１】
2005104053.tif 000003
【図２】
2005104053.tif 000004
【図３】
2005104053.tif 000005
【図４】
2005104053.tif 000006